(57)【要約】【課題】より水槽内の空間を有効に活用でき、簡便な構成で浮遊生物を長期に安定して飼育することのできる水槽装置及びこれに用いられる仕切部材を提供する。【解決手段】  本発明の一観点に係る水槽装置は、水槽と、水槽内に配置され水を吐出する吐出管と、水槽内に配置され水を吸引する吸引管と、貫通孔及び間隙の少なくともいずれかが形成される仕切板、及び、仕切板に接続され吐出管を収納する管収納部材を備え、水槽内を主室と副室に仕切る仕切部材と、を備えたものである。  また、本発明の他の一観点に係る仕切部材は、貫通孔及び間隙の少なくともいずれかが形成される仕切板と、仕切板に接続され吐出管を収納する管収納部材と、を備えたものである。【選択図】  図１
2018166498.tif 000002
【特許請求の範囲】
【請求項１】
水槽と、
前記水槽内に配置され水を吐出する吐出管と、
前記水槽内に配置され水を吸引する吸引管と、
貫通孔及び間隙の少なくともいずれかが形成される仕切板、及び、前記仕切板に接続され前記吐出管を収納する管収納部材を備え、前記水槽内を主室と副室に仕切る仕切部材と、を備えた水槽装置。
【請求項２】
前記管収納部材は、前記副室側に窪んだ窪みを備えており、前記窪みに前記吐出管を収納する請求項１記載の水槽装置。
【請求項３】
前記仕切板と前記管収納部材は、着脱可能である請求項１記載の水槽装置。
【請求項４】
前記管収納部材は複数に分割されている請求項１記載の水槽装置。
【請求項５】
前記吐出管と前記吸引管は、前記仕切り部材を挟んで略平行に配置される請求項１記載の水槽装置。
【請求項６】
前記吐出管は、前記水槽の底部近傍に配置される請求項１記載の水槽装置。
【請求項７】
貫通孔及び間隙の少なくともいずれかが形成される仕切板と、
前記仕切板に接続され吐出管を収納する管収納部材と、を備えた仕切部材。
【発明の詳細な説明】
【技術分野】
【０００１】
本発明は、水槽装置及びこれに用いられる仕切部材に関する。
【背景技術】
【０００２】
従来のクラゲ等の浮遊生物を飼育する水槽装置として、例えば下記特許文献１乃至４には、水槽内において楕円形状又は略円多角形状の仕切板を一体にした構造を有する技術が開示されている。
【０００３】
また、下記特許文献５には、水槽内において、ポンプから圧送された水を噴出する噴出口を、ポンプが吸い込む水の飼育エリア内での流れ方向に対して、直交或いは反対側へ噴出する方向に向けて配置し、水を循環させる観賞魚用水槽が開示されている。
【先行技術文献】
【特許文献】
【０００４】
【特許文献１】特開２０１４−２０４６９５号公報
【特許文献２】特開２０１０−５７３８３号公報
【特許文献３】特開２００１−００００７１号公報
【特許文献４】特開平１０−２３４２５０号公報
【特許文献５】特開平１０−９８９７７号公報
【発明の概要】
【発明が解決しようとする課題】
【０００５】
しかしながら、上記特許文献１乃至４に記載の技術は、仕切板の形状が楕円形、略円形であって、多角形である水槽内の空間を有効活用できず、また修理や清掃等の管理が容易ではないといった課題がある。
【０００６】
また、上記特許文献５に記載の技術では、配管が露出して配置されるなど突起物等も多く、浮遊生物が傷つきやすく、長期に安定した飼育において課題が残る。また、複数の仕切板を多重に配置するため、修理や清掃等の維持管理が容易ではないといった課題があるとともに、見た目においても課題が残る。
【０００７】
そこで、本発明は上記課題に鑑み、より水槽内の空間を有効に活用でき、簡便な構成で浮遊生物を長期に安定して飼育することのできる水槽装置及びこれに用いられる仕切部材を提供することを目的とする。
【課題を解決するための手段】
【０００８】
上記課題を解決する本発明の一観点に係る水槽装置は、水槽と、水槽内に配置され水を吐出する吐出管と、水槽内に配置され水を吸引する吸引管と、貫通孔及び間隙の少なくともいずれかが形成される仕切板、及び、仕切板に接続され吐出管を収納する管収納部材を備え、水槽内を主室と副室に仕切る仕切部材と、を備えたものである。
【０００９】
また、上記課題を解決する本発明の他の一観点に係る仕切部材は、貫通孔及び間隙の少なくともいずれかが形成される仕切板と、仕切板に接続され吐出管を収納する管収納部材と、を備えたものである。
【発明の効果】
【００１０】
以上、本発明によって、より水槽内の空間を有効に活用でき、簡便な構成で浮遊生物を長期に安定して飼育することのできる水槽装置及びこれに用いられる仕切部材を提供することができる。
【図面の簡単な説明】
【００１１】
【図１】実施形態に係る水槽装置の概略図である。
【図２】実施形態に係る水槽装置における水流の流れの例を示す図である。
【図３】実施形態に係る水槽装置における管の他の形状の例を示す図である。
【図４】実施形態に係る水槽装置における管の他の形状の例を示す図である。
【図５】実施形態に係る水槽装置における管の他の形状の例を示す図である。
【図６】実施形態に係る水槽装置における管の他の形状の例を示す図である。
【図７】実施形態に係る水槽装置における管の他の形状の例を示す図である。
【図８】実施形態に係る水槽装置における固定具の例を示す図である。
【図９】実施形態に係る管収納部材の概略を説明する図である。
【図１０】実施形態に係る他の水槽の例の側面概略図であり、水流を説明する図である。
【図１１】実施形態に係る他の水槽の例の側面概略図であり、水流を説明する図である。
【図１２】実施形態に係る他の水槽の例の構造を説明する図である。
【図１３】実施形態に係る他の水槽の例の構造を説明する図である。
【図１４】実施形態に係る他の水槽の例の構造を説明する図である。
【図１５】実施形態に係る他の水槽の例の構造を説明する図である。
【図１６】実施形態に係る他の水槽の例の構造を説明する図である。
【図１７】実施形態に係る他の水槽の例の構造を説明する図である。
【図１８】実施形態に係る他の水槽の例の構造を説明する図である。
【図１９】実施形態に係る他の水槽の例の構造を説明する図である。
【図２０】実施形態に係る他の水槽の例の構造を説明する図である。
【図２１】実施形態に係る他の水槽の例の構造を説明する図である。
【図２２】実施形態に係る他の水槽の例の構造を説明する図である。
【図２３】実施形態に係る他の水槽の例の構造を説明する図である。
【図２４】実施形態に係る他の水槽の例の構造を説明する図である。
【図２５】実施形態に係る他の水槽の例の構造を説明する図である。
【図２６】実施形態に係る他の水槽の例の構造を説明する図である。
【図２７】実施形態に係る他の水槽の例の構造を説明する図である。
【図２８】実施形態に係る他の水槽の例の構造を説明する図である。
【図２９】実施形態に係る他の水槽の例の構造を説明する図である。
【図３０】実施形態に係る他の水槽の例の構造を説明する図である。
【図３１】実施形態に係る他の水槽の例の構造を説明する図である。
【図３２】実施形態に係る他の水槽の例の構造を説明する図である。
【図３３】実施形態に係る他の水槽の例の構造を説明する図である。
【図３４】実施形態に係る他の水槽の例の構造を説明する図である。
【図３５】実施形態に係る他の水槽の例の構造を説明する図である。
【図３６】実施形態に係る他の水槽の例の構造を説明する図である。
【図３７】実施形態に係る他の水槽の例の構造を説明する図である。
【図３８】実施形態に係る他の水槽の例の構造を説明する図である。
【図３９】実施形態に係る他の水槽の例の構造を説明する図である。
【発明を実施するための最良の形態】
【００１２】
以下、本発明の実施形態について図面を用いて詳細に説明する。ただし、本発明は多くの異なる形態による実施が可能であり、以下に示す実施形態における具体的な例示にのみ限定されるわけではない。
【００１３】
図１は、実施形態に係る水槽装置（以下「本装置」という。）１の概略図である。
【００１４】
本図で示すように、本装置１は、水槽２と、水槽２内に配置され水を吐出する吐出管３と、水槽２内に配置され水を吸引する吸引管４と、貫通孔５１１が形成される仕切板５１、及び、仕切板５１に接続され吐出管３を収納する管収納部材５２を備え、水槽２内を主室２１と副室２２に仕切る仕切部材５と、を備えている。
【００１５】
本装置１において水槽２は、底部材２３及び壁部材２４によって区切られた空間を形成し、浮遊生物を飼育するための水を収納することができるものである。ここで「浮遊生物」とは、水中において能動的に泳ぐ力が無い又は弱く、水流に応じて受動的に浮遊する生物（動物及び植物を含む）であり、クラゲやプランクトン等を含む。
【００１６】
本装置１において水槽２の形状は限定されない。底部材２３が四角等の多角形である角柱、底部材２３が円である円柱、底面が楕円である楕円柱であってもよく、また底部材２３の形状がこれらに該当しない形状の柱体であってもよい。
【００１７】
また本装置１において水槽２は、主室２１と副室２２に仕切られる。この点については後に詳述するが、主室２１は、浮遊生物の飼育を行うための領域をいい、副室２２は、これ以外の領域をいう。
【００１８】
また本装置１において水槽２の材質は、少なくとも主室２１が透明である限りにおいて限定されず、例えばガラス、アクリル等の樹脂を例示することができるがこれに限定されない。
【００１９】
また本装置１において吐出管３は、水槽２内に配置され、水を吐出することができるものである。吐出管３は、本装置１における効果を発揮できる限りにおいて限定されるわけではないが、少なくとも一方向に延伸し、複数の吐出孔３１を備えたものであることが好ましい。
【００２０】
なお、本装置１において、吐出管３における吐出孔３１は、上記の通り一方向に整列して形成されていることが好ましい。このようにすることで、平面的に流れる水流を生じさせることができ、水流の方向を容易に制御できるようになる。もちろん、この限りにおいて、一方向に整列して形成されている孔の列を二列以上設けることも可能ではある。
【００２１】
また本装置１において吐出管３は、水槽の底部近傍に配置されていることが好ましい。底部近傍に配置することで、底部に沿った水流を発生させることができる。この水流は底面から壁面に到達した後、壁面に沿って水面側に進む、そして壁面の水面に到達したあと、仕切板側に戻り、更に仕切板に沿って再び吐出管３側に戻ることとなる。図２に、この水の流れのイメージを示しておく。
【００２２】
また吐出管３の材質としては特に限定されないが、ポリ塩化ビニル等の樹脂等で形成されていることが製造コスト及び製造を容易にする観点から好ましい。
【００２３】
また本装置１において吸引管４は、水槽２内に配置され水を吸引することができるものである。吸引管４は、本装置１における効果を発揮できる限りにおいて限定されるわけではないが、少なくとも一方向に延伸し、複数の吸引孔４１を備えたものであることが好ましい。なお、吸引管４における吸引孔４１は、上記吐出管３の吐出孔３１に比べて一方向に整列して形成されていなくてもよい。
【００２４】
なお、本装置１において、吸引管４は、限定されるわけではないが、エルボ等の接続部材を介して導管４２と接続されており、吸引した水を水槽外部に導くことができる。
【００２５】
また吸引管４及び導管４２の材質としては特に限定されないが、ポリ塩化ビニル等の樹脂等で形成されていることが製造コスト及び製造を容易にする観点から好ましい。
【００２６】
ところで、本装置１では、吐出管３及び吸引管４の形状は様々なものを採用することができる。この場合の例を図３乃至７に示しておく。このように様々なものを採用することが可能であり、チーズ、エルボ、ソケット等を使用することで水槽の形状や大きさ等を問わず対応が可能となる。
【００２７】
図３は、エルボを使用したＬ型のパイプを示しており、それぞれ吐出用又は吸引用の孔の開いたキャップ３１１、４１１とエルボ３１２、４１２が脱着可能に接続されている。なおこの場合において、キャップ３１１、４１１及びエルボ３１２、４１２の少なくともいずれかに吐出孔３１又は吸引孔４１が設けられていることがより効率的な水流発生の観点から好ましい。
【００２８】
また図４は、チーズ３１３、４１３を使用したＴ型のパイプを示しており、それぞれ吐出用又は吸引用の孔の開いたキャップ３１１、４１１とチーズ３１３、４１３が脱着可能に接続されている。なおこの場合において、キャップ３１１、４１１及びチーズ３１３、４１３の少なくともいずれかに吐出孔３１又は吸引孔４１が設けられていることがより効率的な水流発生の観点から好ましい。
【００２９】
また、図５は、ソケット３１４、４１４を使用したＩ型のパイプを示しており、それぞれ吐出用又は吸引用の孔の開いたキャップ３１１、４１１とソケット３１４、４１４が脱着可能に接続されている。なおこの場合において、キャップ３１１、４１１及びソケット３１４、４１４の少なくともいずれかに吐出孔３１又は吸引孔４１が設けられていることがより効率的な水流発生の観点から好ましい。
【００３０】
また、図６は、エルボ３１２、４１２を使用したＬ型のパイプを逆向きに配置した例を示しており、それぞれ吐出用又は吸引用の孔の開いたキャップ３１１、４１１とエルボ３１２、４１２が脱着可能に接続されている。なおこの場合において、キャップ３１１、４１１及びエルボ３１２、４１２の少なくともいずれかに吐出孔３１又は吸引孔４１が設けられていることがより効率的な水流発生の観点から好ましい。
【００３１】
また、図７は、チーズ３１３、４１３を使用したＴ型のパイプを示しており、それぞれ吐出用又は吸引用の穴の開いたキャップ３１１、４１１とチーズ３１３、４１３が脱着可能に接続されている。なおこの場合において、キャップ３１１、４１１及びチーズ３１３、４１３の少なくともいずれかに吐出孔３１又は吸引孔４１が設けられていることがより効率的な水流発生の観点から好ましい。
【００３２】
なお、これら管は、図８で示す固定具６１、６２によってそれぞれが互いにまた単独で壁面又は底面に固定される。これにより、水流や振動等によって不必要に配置がずれてしまうことを防止できる。図中固定部６１は管同士を接続して固定するものであり、固定部６２は底部材２３又は壁部材２４に管を固定するためのものである。しかし壁部材２４に直接固定治具等を付けることで転倒を防止することも可能である。
【００３３】
また本装置１において、仕切部材５は、仕切板５１と管収納部材５２と、を備えている。
【００３４】
仕切板５１は、上記の通り、水槽２内を主室２１と副室２２に仕切ることができるものである。また、仕切板５１には、上記の通り、多数の貫通孔５１１が形成されている。この結果、仕切板５１の機能を有するとともに、水を透過させることが可能となる。
【００３５】
仕切板５１における貫通孔５１１の数や大きさは特に限定されないが、大きすぎると浮遊生物が副室に侵入してしまう虞があり、小さすぎると水が通り抜けにくくなり流れのバランスが崩れてしまうため、適宜調節が必要であるが、例えば円であれば直径１ｍｍ以上１０ｍｍ以下であることが好ましい。また、四角等の多角形状であれば当該孔が直径１ｍｍの円内又は直径１０ｍｍの円内に収まる大きさであることが好ましい。また細長い孔である場合は、上記のように浮遊生物が副室に侵入してしまわないよう、幅が１ｍｍ以上１０ｍｍ以下となっていることが好ましい。
【００３６】
なお、本実施形態では、説明の観点から仕切板５１には貫通孔５１１を設けることとしているが、例えば仕切板５１を複数の部材に区切り、これらの間に隙間を設ける構造としてもよい。この間隙の距離も、上記細長い孔の幅と同様である。
【００３７】
また、本装置では、仕切板５１に形成される貫通孔５１１の配置密度は、仕切板５１において均等に配置されていてもよいが、水面に近い側には貫通孔５１１を設けず底部材側に行くに従い貫通孔５１１を多く設けている構造とすることも可能である。このようにすることで、吐出管３から吐出された水が底部材２３及び壁部材２４を通り、更に仕切板５側に戻ってくる際、その仕切板５に貫通孔５１１が多く形成されているとそのまま仕切板５を抜ける水の流れが多くなってしまい、主室２１内の仕切板５１に沿った水の流れが弱くなってしまうことを防止できる。
【００３８】
また、本装置１では、仕切板５１を固定するための仕切板留め具５３を備えていることも好ましい。この仕切板留め具５３を設けることで、仕切板５１を安定的に固定することができるとともに、本図で示すような、一定の幅をもって形成される四角形状の水槽であれば自在に主室と副室の大きさを調整することが可能となる。
【００３９】
また本装置１の管収納部材５２は、仕切板５１に接続され吐出管３を収納することができるものであり、仕切板５１と相まって、主室と副室とを明確に区切ることができるものである。
【００４０】
管収納部材５２は、限定されるわけではないが、副室側に窪んだ窪み５２１を備えており、この窪み５２１に吐出管３を収納することができる。本装置１では、このように吐出管３を収納させることで部材によって生ずる凹凸をできる限り少なくし、より円滑な水流を生じさせ、浮遊生物が引っかかることにより傷つくことを防止できる。また、管収納部材５２によって吐出管３が覆われることで、平面的な水流の流れを容易に形成でき、この観点からもより円滑な水流を生じさせることができる。
【００４１】
上記をより具体的に説明すると、管収容部材５２によって収容された吐出管３の主室側における先端位置３Ａが、仕切板５１の形成する面よりも副室側にあることが好ましい。このようにすることで、仕切板５１より突出した部分がなくなり、より滑らかな水流を形成することが可能となる。
【００４２】
また、管収納部材５２は、限定されるわけではないが仕切板５１に対し着脱可能であることが好ましい。このようにすることで、吐出管３の管径によって管収容部材５２だけを変えるだけで仕切部材５全体の高さの調整が可能となる。また、後述のように管収容部材５２を複数に分割させることで間隙位置を自由に設定できる。この場合のイメージを図９に示しておく。
【００４３】
また、管収容部材５２は、上記図でも示すように、複数に分割されていることが好ましい。複数に分割することで、一部を取り除き又は移動させることが可能となり、吐出管３の形状等によって異なるいわゆるエルボ等の他の管と接続する部材（接続部材）の位置に合わせて管収容部材５２を配置することができる。図１の例では、吐出管３とその導管３２をエルボによってＬ型のパイプとした例を示している。
【００４４】
なお図９では、上記図１の例とは異なり、管収容部材５２を複数の部材に分割し、この中間位置の部材を外して使用した場合の例を示している。すなわち水槽のサイズ、種類、用途が違い調整を必要とする場合であっても、パイプ形状や長さに合わせることができる。本図は、いわゆるＴ型の形状パイプをセットする場合の例を示している。なお本図は、仕切板５１と管収容部材５２を外した場合の図である。すなわち、本図の例によると、多種多様な水槽に取り付けが可能となるため、クラゲ等の浮遊生物の飼育が容易に可能となる。既成水槽からオーダー水槽等の形状も自由に選択が可能である。
【００４５】
また本装置１において、吐出管３と吸引管４は、限定されるわけではないが、仕切部材５より具体的には管収容部材５２を挟んで略平行に配置されることが好ましい。このようにすることで、層流に似た平面的な水流を形成することが可能となり、より安定的な飼育を可能とする。
【００４６】
また本装置１では、上記吐出管３と吸引管４に接続され水を送り出すためのポンプ（図示省略）が設けられている。すなわち、吸引管４及びその導管４２によって吸引された水をポンプによって導管３２及び吐出管３に送り出し、水槽内に戻すことができる。すなわち、本装置１は、浮遊生物の飼育観賞等をする為の水槽内の仕切りと、吐出管３及び吸引管４及びこれらに接続されるポンプを備えることで水槽の主室内において水を回転流動させることが可能となる。
【００４７】
なおポンプは、同じ水槽内に設けてもよいが、水槽外に設けておくことがより円滑な水流を発生させる観点、主室２１をより広く確保することができる観点から好ましい。
【００４８】
また、本装置においては、複数の管をエルボ、キャップ、チーズ等の接続部材で接続する例で説明しているが、水槽に直接接続孔をあけ、これに管を通して外部のポンプ等と繋げる構成としてもよい。
【００４９】
また、本装置１の例では、底部材近傍に吐出管３及び給水管４を設けた例を示しているが、これに限定されず、例えば、底部材からある程度の高さ（好ましくは水面近傍の水中）の位置に吐出管３を設け、この近傍に吐出管３と平行かつ仕切板５１の近傍位置に給水管を配置してもよい。この場合の断面図（側面）を図１０に示しておく。本図のようにしても、循環水流を形成することが可能となり、また、仕切板５１近傍に配置することでより副室を小さくし主室を広く確保することが可能となる。また、本装置１の応用例としては、図１１（上面図）で示すように、底面に対して吐出管３及び給水管４を略垂直に立て、壁部材に沿った循環水流を形成することとしてもよい。本図は水槽を上面から見た場合の図である。
【００５０】
なおここで、本装置１のより具体的な構造について、図１２乃至図３９を用いて詳細に説明する。
【００５１】
まず、図１２乃至１５は、上記図１で示した本装置１のより具体的な構造の側面図、上面図、正面図、又は背面図である。本図で示すように、本装置１では、縁なし水槽を備え、飼育・観賞を行う主室２１と副室２２が仕切板５１及び管収容部材５２によって分離させており、主室の管収容部材５２の窪みには吐出管３が、副室側には吸引管４がそれぞれ配置されている。また、仕切板留め具５３によって、仕切板５１の転倒を防止することができる。またこれによってガラス蓋なども載せることが可能となる。更に、これらの図からも明らかなように、これら吐出管３及び給水管４は固定具６２によって固定されている。固定具６２は管を保持する管保持部と吸盤部を備えており、管を壁部材２４や底部材２３に安定的に吸着固定することができる。
【００５２】
また、図１６乃至図１９は、本装置１の他の具体的な構造の側面図、上面図、正面図又は背面図である。本装置１では、縁あり水槽を備え、飼育・観賞を行う主室２１と副室２２が仕切板５１及び管収容部材５２によって分離させており、主室の管収容部材５２の窪みには吐出管３が、副室側には吸引管４がそれぞれ配置されている。また、仕切板留め具５３によって、仕切板５１の転倒を防止することができる。またこれによってガラス蓋なども載せることが可能となる。更に、これらの図からも明らかなように、これら吐出管３及び給水管４は固定具６２によって固定されている。固定具６２は管を保持する管保持部と吸盤部を備えており、管を壁部材２４や底部材２３に安定的に吸着固定することができる。なお、これらの図で示す例では、吐出管３及び吸引管４の途中にはチーズが設けられており、底部近傍から上部にかけて導管が接続されている。
【００５３】
また、図２０乃至図２３は、本装置１の他の具体的な構造の側面図、上面図、正面図又は背面図である。本装置１では、リブ・フランジ水槽又はアクリル水槽を備え、飼育・観賞を行う主室２１と副室２２が仕切板５１及び管収容部材５２によって分離させており、主室の管収容部材５２の窪みには吐出管３が、副室側には吸引管４がそれぞれ配置されている。また、仕切板留め具５３によって、仕切板５１の転倒を防止することができる。またこれによってガラス蓋なども載せることが可能となる。更に、これらの図からも明らかなように、これら吐出管３及び給水管４は固定具によって固定されている。固定具は管を保持する管保持部と吸盤部を備えており、管を壁部材２４や底部材２３に安定的に吸着固定することができる。なお、これらの図で示す例では、水槽に加工が施されており、ソケットが水槽を貫通している。そしてこのソケットに吐出管３及び吸引管４がそれぞれ挿入され外部のポンプ等に接続されている。
【００５４】
また、図２４乃至図２７は、本装置１の他の具体的な構造の側面図、上面図、正面図又は背面図である。本装置１では、リブ・フランジ水槽  or  アクリル水槽を備え、飼育・観賞を行う主室２１と副室２２が仕切板５１及び管収容部材５２によって分離させており、主室の管収容部材５２の窪みには吐出管３が、副室側には吸引管４がそれぞれ配置されている。また、仕切板留め具５３によって、仕切板５１の転倒を防止することができる。またこれによってガラス蓋なども載せることが可能となる。なお、これらの図で示す例では、水槽に加工が施されており、チーズが水槽を貫通している。そしてこのチーズに吐出管３及び吸引管４がそれぞれ挿入され外部のポンプ等に接続されている。
【００５５】
また、図２８乃至図３１は、本装置１の他の具体的な構造の側面図、上面図、正面図又は背面図である。本装置１では、リブ・フランジ水槽  or  アクリル水槽を備え、飼育・観賞を行う主室２１と副室２２が仕切板５１及び管収容部材５２によって分離させており、主室の管収容部材５２の窪みには吐出管３が、副室側には吸引管４がそれぞれ配置されている。また、仕切板留め具５３によって、仕切板５１の転倒を防止することができる。またこれによってガラス蓋なども載せることが可能となる。なお、これらの図で示す例では、水槽に加工が施されており、ソケットが水槽を貫通している。そしてこのソケットに吐出管３及び吸引管４がそれぞれ挿入され外部のポンプ等に接続されている。
【００５６】
また、図３２乃至図３５は、本装置１の他の具体的な構造の側面図、上面図、正面図又は背面図である。本装置１では、縁なし水槽を備え、飼育・観賞を行う主室２１と副室２２が仕切板５１及び管収容部材５２によって分離させており、主室の管収容部材５２の窪みには吐出管３が、副室側には吸引管４がそれぞれ配置されている。また、仕切板留め具５３によって、仕切板５１の転倒を防止することができる。またこれによってガラス蓋なども載せることが可能となる。なお、これらの図で示す例では、吐出管３及び吸引管４は上部側に設けられており、水面近傍において仕切板５１側から壁部材２４に流れを生じさせて底部材２３において壁部材２４側から仕切板５１側への帰りの流れを生じさせることができる。
【００５７】
また、図３６乃至図３９は、本装置１の他の具体的な構造の側面図、上面図、正面図又は背面図である。本装置１では、縁なしの円柱形状の水槽を備え、飼育・観賞を行う主室２１と副室２２が仕切板５１及び管収容部材５２によって上下に分離させており、主室の管収容部材５２の窪みには吐出管３が、副室側には吸引管４がそれぞれ配置されている。またこの水槽はガラス蓋などを載せることが可能となっている。なお、これらの図で示す例では、水槽に加工が施されており、底部材においてソケットが水槽を貫通している。そしてこのソケットに吐出管３及び吸引管４がそれぞれ挿入され外部のポンプ等に接続されている。この結果、下から上に向けて水流を生じさせ、水面から壁部材、壁部材から仕切板への循環の流れを生じさせることで、効率の良い飼育を可能とする。
【００５８】
以上、本発明によって、より水槽内の空間を有効に活用でき、簡便な構成で浮遊生物を長期に安定して飼育することのできる水槽装置及びこれに用いられる仕切部材を提供することができる。
【００５９】
より具体的に説明すると、上記公知の文献に記載の技術では、飼育鑑賞用の部分が狭く、見た目が悪くなる上に、部品等の取外しが不可能か可能であっても極めて複雑で、維持管理やメンテナンスが困難であるといった課題がある。また、飼育観賞の際には溶存酸素が不足し、空気が浮遊生物の体に入り込み、突起物に擦れて崩れ、また水質汚れの濾過効率が悪く、浮遊生物の長期飼育が困難であるといった課題があったところ、本装置１によると上記課題を見事に解決することができる。
【００６０】
また本発明では、観賞や展示飼育等を行う主室と排水のための副室が出来るだけ簡略化された分離構造を最小限の部材で実現しており、維持管理も容易である。また多種多様な形状の水槽を分離することが可能であり、多数の循環ポンプ・濾過装置・温度調整等の器具と接続及び脱着が出来るうえ、浮遊生物やクラゲ等の生体飼育の容積が多く、水槽内の水に溶存酸素を多く摂ることができるといった利点がある。そして本発明では、水槽内の突起物となる部材を収納することで滑らかな流動を確保することが可能である。
【００６１】
また、本発明では、仕切部材の形状を適宜調整することで、あらゆる形状の水槽内部を主室と副室に分離し、浮遊生物等を分散させ、水流によって回転流動させることが可能となる。
【実施例】
【００６２】
ここで、上記実施形態に係る水槽装置を実際に作製し、その効果を確認した。以下具体的に示す。
【００６３】
（実施例１）
横幅９０ｃｍ×奥行き幅４５ｃｍ×高さ６０ｃｍ、容量約２４３リットルの水槽に、横幅８８ｃｍ×奥行き幅４３ｃｍ×高さ５７ｃｍの仕切板を設け、ポンプ、外部フィルター及び水温調整機等の循環器具を接続して水を満たして循環させ、吐出口より水流をつくり、ミズクラゲを実際に飼育した。なおミズクラゲの傘径は２０ｍｍ〜７０ｍｍの５００個体を収容し、動物プランクトンであるアルテミアのフ化直後の幼生を餌として１日１回与え、水温２３℃で育成した。
【００６４】
この結果、１週間後には傘経約３０ｍｍ〜８０ｍｍ、２週間後には約４０ｍｍ〜９０ｍｍ、１ケ月後には６０ｍｍ〜１１０ｍｍにまで成長した。そして、ミズクラゲの歩留りは９０％の４５０個体が生存していた。
【００６５】
（実施例２）
本実施例では、上記実施例１におけるミズクラゲの代わりにサンゴイソギンチャクの成体（直径１００ｍｍ）１０個体について、褐虫藻を餌として用い飼育した。なお、栄養源である褐虫藻の光合成を促進するため白色燈照明６０ｗを１日１０時間照射し、水温２５℃で育成した。
【００６６】
この結果、１週間後には直径約１０２ｍｍ、２週間後には約１０４ｍｍ、１ケ月後には１０８ｍｍにまで成長した。歩留りは９０％の９個体が生残した。
【００６７】
（実施例３）
本実施例では、上記実施例１におけるミズクラゲの代わりにカクレクマノミのフ化後の半年の仔魚で体長３０ｍｍの１００尾について、市販の乾燥餌Ｓサイズ（三卯社製）を餌として１日１回与え、水温２６℃で育成した。
【００６８】
この結果、１週間後には体長約３２ｍｍ、２週間後には約３４ｍｍ、１ケ月後には３８ｍｍにまで成長した。歩留りは９８％の９８個体が生残した。
【００６９】
以上の通り、本発明の効果について確認できた。
【産業上の利用可能性】
【００７０】
本発明は水槽装置として産業上の利用可能性がある。
【図１】
2018166498.tif 000003
【図２】
2018166498.tif 000004
【図３】
2018166498.tif 000005
【図４】
2018166498.tif 000006
【図５】
2018166498.tif 000007
【図６】
2018166498.tif 000008
【図７】
2018166498.tif 000009
【図８】
2018166498.tif 000010
【図９】
2018166498.tif 000011
【図１０】
2018166498.tif 000012
【図１１】
2018166498.tif 000013
【図１２】
2018166498.tif 000014
【図１３】
2018166498.tif 000015
【図１４】
2018166498.tif 000016
【図１５】
2018166498.tif 000017
【図１６】
2018166498.tif 000018
【図１７】
2018166498.tif 000019
【図１８】
2018166498.tif 000020
【図１９】
2018166498.tif 000021
【図２０】
2018166498.tif 000022
【図２１】
2018166498.tif 000023
【図２２】
2018166498.tif 000024
【図２３】
2018166498.tif 000025
【図２４】
2018166498.tif 000026
【図２５】
2018166498.tif 000027
【図２６】
2018166498.tif 000028
【図２７】
2018166498.tif 000029
【図２８】
2018166498.tif 000030
【図２９】
2018166498.tif 000031
【図３０】
2018166498.tif 000032
【図３１】
2018166498.tif 000033
【図３２】
2018166498.tif 000034
【図３３】
2018166498.tif 000035
【図３４】
2018166498.tif 000036
【図３５】
2018166498.tif 000037
【図３６】
2018166498.tif 000038
【図３７】
2018166498.tif 000039
【図３８】
2018166498.tif 000040
【図３９】
2018166498.tif 000041